(57)【特許請求の範囲】
【請求項１】
筐体内に設けられ、送風を行うファンと、前記筐体の底面に設けられた吹き出し口と、前記筐体内に設けられ、前記ファンにより送風された空気を前記吹き出し口を介して外部に誘導する風路壁とを備えた空気調和機において、
前記吹き出し口に第１の回転軸を有し、前記第１の回転軸を中心に開方向に回動することで、前記風路壁と一体化して所定の曲率の曲面を構成する風路延長部と、
運転を行う場合に、前記風路延長部を回動させる回動機構と、
前記吹き出し口に第２の回転軸を有し、前記ファンにより送風された空気を外部に誘導するとともに、前記風路延長部が閉じた場合に、吹き出し側から前記風路延長部によって全体が覆われるフラップと
を備えたことを特徴とする空気調和機。
【請求項２】
筐体内に設けられ、送風を行うファンと、前記筐体の底面に設けられた吹き出し口と、前記筐体内に設けられ、前記ファンにより送風された空気を前記吹き出し口を介して外部に誘導する風路壁とを備えた空気調和機において、
前記風路壁の前記吹き出し口側に設けられた段差部と、
前記筐体内外に移動可能であり、前記筐体外側に移動して端部が前記段差部に当接することで、前記風路壁と一体化して所定の曲率の曲面を構成する風路延長部と、
運転を行う場合に、前記風路延長部を移動させて前記端部を前記段差部に当接させる移動機構とを備え、
前記段差部および前記端部は斜面状に構成され、
前記移動機構は、
前記風路延長部の上面に設けられたラック部と、
前記ラック部と噛み合い、当該ラック部を介して前記風路延長部を移動させるギア部とを備えた
ことを特徴とする空気調和機。
【請求項３】
筐体内に設けられ、送風を行うファンと、前記筐体の底面に設けられた吹き出し口と、前記筐体内に設けられ、前記ファンにより送風された空気を前記吹き出し口を介して外部に誘導する風路壁とを備えた空気調和機において、
前記風路壁の前記吹き出し口側に設けられた段差部と、
前記筐体内外に移動可能であり、前記筐体外側に移動して端部が前記段差部に当接することで、前記風路壁と一体化して所定の曲率の曲面を構成する風路延長部と、
運転を行う場合に、前記風路延長部を移動させて前記端部を前記段差部に当接させる移動機構とを備え、
前記移動機構は、
前記風路延長部の底面から前記端部に沿って設けられたラック部と、
前記ラック部と噛み合い、当該ラックを介して前記風路延長部を移動させるギア部と、
前記風路延長部の移動を規制するガイド機構とを備えた
ことを特徴とする空気調和機。
【請求項４】
前記移動機構は、
前記ギア部に代えて、前記ラック部と噛み合い、当該ラック部を介して前記風路延長部を移動させるベルトコンベアを備えた
ことを特徴とする請求項２記載の空気調和機。
【請求項５】
前記移動機構は、
前記ギア部に代えて、前記ラック部と噛み合い、当該ラック部を介して前記風路延長部を移動させるベルトコンベアを備えた
ことを特徴とする請求項３記載の空気調和機。
【発明の詳細な説明】
【技術分野】
【０００１】
この発明は、筐体内に設けられた風路壁により空気を吹き出し口を介して外部へ誘導する空気調和機に関するものである。
【背景技術】
【０００２】
従来から、空気調和機の筐体内には、ファンにより送風された空気を吹き出し口を介して外部へ誘導し、気流を遠くへ飛ばすための風路壁が設けられている。この風路壁では、気流を遠くへ飛ばすための最適な曲率が定義されており、その曲率に従って風路壁の曲面が設計されている。
【先行技術文献】
【特許文献】
【０００３】
【特許文献１】特開２０１１−１６９５２４号公報
【発明の概要】
【発明が解決しようとする課題】
【０００４】
しかしながら、例えば図６に示すように本体の高さ寸法が短い空気調和機１０１では、風路壁１０２の長さを十分に確保することができない。そのため、図６（ｂ）に示すように、気流を遠くまで飛ばすことができないという課題があった。
一方、図６に示すように、空気調和機１０１の吹き出し口１０３には、気流制御を行うための可動フラップ１０４，１０５が備えられている（例えば特許文献１参照）。この可動フラップ１０４，１０５を用いることで、気流を無理矢理遠くに飛ばすことも考えられるかもしれない。しかしながら、この場合、風路壁１０２と可動フラップ１０４，１０５との間の隙間や段差などによる圧力損失が大きいため、高効率運転を実現できないという課題がある。【０００５】
この発明は、上記のような課題を解決するためになされたもので、運転時に気流を遠くまで飛ばすのに十分な風路長を確保し、高効率運転を実現可能とする空気調和機を提供することを目的としている。
【課題を解決するための手段】
【０００６】
この発明に係る空気調和機は、吹き出し口に第１の回転軸を有し、第１の回転軸を中心に開方向に回動することで、風路壁と一体化して所定の曲率の曲面を構成する風路延長部と、運転を行う場合に、風路延長部を回動させる回動機構と、前記吹き出し口に第２の回転軸を有し、前記ファンより送風された空気を外部に誘導するとともに、風路延長部が閉じた場合に、吹き出し側から風路延長部によって全体が覆われるフラップとを備えたものである。
【０００７】
また、この発明に係る空気調和機は、風路壁の吹き出し口側に設けられた段差部と、筐体内外に移動可能であり、筐体外側に移動して端部が段差部に当接することで、風路壁と一体化して所定の曲率の曲面を構成する風路延長部と、運転を行う場合に、風路延長部を移動させて端部を段差部に当接させる移動機構とを備え、段差部および端部は斜面状に構成され、移動機構は、風路延長部の上面に設けられたラック部と、ラック部と噛み合い、当該ラック部を介して風路延長部を移動させるギア部とを備えたものである。
【発明の効果】
【０００８】
この発明によれば、上記のように構成したので、運転時に気流を遠くまで飛ばすのに十分な風路長を確保できるとともに、風路壁と風路延長部とのつなぎ目部分での圧力損失を抑制して高効率運転を実現可能とすることができる。
【図面の簡単な説明】
【０００９】
【図１】この発明の実施の形態１に係る空気調和機の構成を示す図であり、（ａ）停止時を示す断面図であり、（ｂ）運転時を示す断面図である。
【図２】この発明の実施の形態２に係る空気調和機の構成を示す図であり、（ａ）停止時を示す断面図であり、（ｂ）運転時を示す断面図である。
【図３】この発明の実施の形態２における風路延長部の移動機構の構成を示す図であり、（ａ）停止時を示す斜視図であり、（ｂ）運転時を示す斜視図である。
【図４】この発明の実施の形態２における風路延長部の移動機構の別の構成を示す図であり、（ａ）停止時を示す斜視図であり、（ｂ）運転時を示す斜視図である。
【図５】この発明の実施の形態２における風路延長部の移動機構の別の構成を示す図であり、（ａ）停止時を示す斜視図であり、（ｂ）運転時を示す斜視図である。
【図６】従来の空気調和機の構成を示す図であり、（ａ）停止時を示す断面図であり、（ｂ）運転時を示す断面図である。
【発明を実施するための形態】
【００１０】
以下、この発明をより詳細に説明するために、この発明を実施するための形態について、添付の図面に従って説明する。
実施の形態１．
図１はこの発明の実施の形態１に係る空気調和機１の構成（停止時・運転時）を示す断面図である。図１において左側が空気調和機１の前方側であり、右側が後方側である。
空気調和機１の筐体２内には、図１に示すように、熱交換器３と、当該熱交換器３により熱交換された空気を送風するファン４とが設けられている。また、筐体２の底面には、ファン４からの空気を外部に吹き出す吹き出し口５が設けられている。
【００１１】
また、筐体２内の背面には、ファン４からの空気を吹き出し口５を介して外部へ誘導して、気流を遠くに飛ばすための風路壁６が設けられている。この風路壁６の曲面は、気流を遠くへ飛ばすために定義された最適な曲率に従って設計されている。また、風路壁６の下方には、後述する風路延長部８の後端部８１が当接する段差部６１が設けられている。
【００１２】
また、吹き出し口５の前方側には、気流制御を行うための前フラップ７が設けられている。この前フラップ７は、不図示の回動機構により回転軸７１を中心に空気調和機１の外側に回動可能に構成されている。
【００１３】
また、吹き出し口５の後方側には、回転軸８２を中心に回動可能であり、開方向に回動して後端部８１が段差部６１と当接することで、風路壁６と一体化して一つの曲面を構成する風路延長部８が設けられている。この風路延長部８は、不図示の回動機構により回転軸８２を中心に空気調和機１の外側に回動可能に構成されている。なお、風路延長部８の曲面は、風路壁６と一体化した際に一つの長い風路壁を構成する形状に設計されている。また、図１に示す風路延長部８では、空気調和機１が停止して閉じた際に、吹き出し口５および前フラップ７全体を覆うような大きさに構成されている。
【００１４】
次に、上記のように構成された空気調和機１の動作について説明する。
空気調和機１を停止する場合には、図１（ａ）に示すように、前フラップ７および風路延長部８は回動機構により回転軸７１，８２を中心に閉方向に回動し、吹き出し口５を塞ぐ。ここで、図１（ａ）に示すように、風路延長部８によって吹き出し口５および前フラップ７全体を覆うことで、停止時の空気調和機１の美観を高めることができる。
【００１５】
一方、空気調和機１を運転する場合には、図１（ｂ）に示すように、前フラップ７は回動機構により回転軸７１を中心に開方向に回動して気流制御を行う。また、風路延長部８は回動機構により回転軸８２を中心に開方向に回動して、後端部８１を風路壁６の段差部６１に当接させる。これにより、風路延長部８が風路壁６と一体化して風路長を延長することができ、気流を遠くまで飛ばすことが可能となる。またこの際、段差部６１によって、風路壁６と風路延長部８とのつなぎ目部分には隙間や段差が生じないため、圧力損失を抑制した高効率運転が実現可能となる。
【００１６】
以上のように、この実施の形態１によれば、風路壁６の吹き出し口５側に設けられた段差部６１と、吹き出し口５に回転軸８２を有し、当該回転軸８２を中心に開方向に回動して後端部８１が段差部６１と当接することで、風路壁６と一体化して所定の曲率の曲面を構成する風路延長部８とを備えるように構成したので、運転時に気流を遠くまで飛ばすのに十分な風路長を確保できるとともに、風路壁６と風路延長部８とのつなぎ目部分での圧力損失を抑制して高効率運転を実現可能とすることができる。
【００１７】
なお図１に示す例では、空気調和機１の停止時に、風路延長部８が吹き出し口５および前フラップ７全体を覆う場合について示した。しかしながら、美観が特に要求されない場合には、風路延長部８は、吹き出し口５および前フラップ７全体を覆う必要はなく、気流を遠くに飛ばすのに必要な長さがあればよい。
【００１８】
また、風路延長部８は、風路壁６と一体化して一つの曲面を構成することで風路長を延長するものであるが、前フラップ７と同様に、所定の向きに回動動作させることで気流制御を行う機構として用いることも可能である。
【００１９】
実施の形態２．
実施の形態２では、実施の形態１とは別の構成により、風路長を延長する構成について説明する。
図２はこの発明の実施の形態２に係る空気調和機１の構成（停止時・運転時）を示す図である。図２に示す実施の形態２に係る空気調和機１の構成において、図１に示す実施の形態１に係る空気調和機１と同様の構成については同一の符号を付し、異なる部分についてのみ説明を行う。
【００２０】
図２に示す空気調和機１の吹き出し口５の前方側には、気流制御を行うための前フラップ７が設けられている。この前フラップ７は、不図示の回動機構により回転軸７１を中心に空気調和機１の外側に回動可能に構成されている。
また、吹き出し口５の後方側には、気流制御を行うための後フラップ９が設けられている。この後フラップ９は、不図示の回動機構により回転軸９１を中心に空気調和機１の外側に回動可能に構成されている。
【００２１】
また、空気調和機１の筐体２内には、筐体２内外に移動可能であり、筐体２外側に移動して後端部８１ｂが段差部６１ｂと当接することで、風路壁６と一体化して一つの曲面を構成する風路延長部８ｂが設けられている。この風路延長部８ｂは、後述する移動機構８３により筐体２内外に移動可能に構成されている。なお、風路延長部８ｂの曲面は、風路壁６と一体化した際に一つの長い風路壁を構成する形状に設計されている。
また、図２に示す風路壁６の段差部６１ｂは、風路延長部８ｂが滑らかに移動可能なように斜面状に構成されている。そして、この段差部６１ｂの形状に伴い、風路延長部８ｂの後端部８１ｂ側の底面も斜面状に構成されている。
【００２２】
次に、風路延長部８ｂの移動機構８３について、図３を参照しながら説明する。
図３に示すように、風路延長部８ｂの幅（長手）方向両端には、風路延長部８ｂを筐体２内外に移動するための移動機構８３が設けられている。
図３に示す移動機構８３は、風路延長部８ｂの上面に設けられた直線状のラック部８３１と、当該ラック部８３１と噛み合うギア部８３２とから構成されている。ギア部８３２は位置が固定されており、接続された不図示のモータにより所定方向に回転することで、ラック部８３１を介して風路延長部８ｂを所定方向に移動させる。
【００２３】
次に、上記のように構成された空気調和機１の動作について説明する。
空気調和機１を停止する場合には、図２（ａ）に示すように、前フラップ７および後フラップ９は回動機構により回転軸７１，９１を中心に閉方向に回動し、吹き出し口５を塞ぐ。また、図２（ａ），３（ａ）に示すように、風路延長部８ｂは、移動機構８３により筐体２内側（風路壁６面上）に移動し、筐体２内に収納される。このように、空気調和機１の停止時には風路延長部８ｂが筐体２内に収納された状態となるため、美観を損なうことはない。
【００２４】
一方、空気調和機１を運転する場合には、図２（ｂ）に示すように、前フラップ７は回動機構により回転軸７１を中心に開方向に回動し、また、後フラップ９は回動機構により回転軸８２を中心に開方向に回動して各々気流制御を行う。また、図２（ｂ），３（ｂ）に示すように、風路延長部８ｂは、移動機構８３により筐体外側に移動して、後端部８１ｂを風路壁６の段差部６１ｂに当接させる。これにより、風路延長部８ｂが風路壁６と一体化して風路長を延長することができ、気流を遠くまで飛ばすことが可能となる。またこの際、段差部６１ｂによって、風路壁６と風路延長部８ｂとのつなぎ目部分には隙間や段差が生じないため、圧力損失を抑制した高効率運転が実現可能となる。
【００２５】
以上のように、この実施の形態２によれば、風路壁６の吹き出し口５側に設けられた段差部６１ｂと、筐体２内外に移動可能であり、筐体２外側に移動して後端部８１ｂが段差部６１ｂに当接することで、風路壁６と一体化して所定の曲率の曲面を構成する風路延長部８とを備えるように構成しても、実施の形態１と同様の効果を得ることができる。
【００２６】
なお、上記図３では、移動機構８３としてラック部８３１とギア部８３２を用いた構成について示したが、これに限るものではなく、例えば図４，５に示すような構成であってもよい。
図４に示す移動機構８３は、ギア部８３２に変えて、当該ラック部８３１と噛み合うベルトコンベア８３３を用いたものである。ベルトコンベア８３３は位置が固定されており、接続された不図示のモータにより所定方向に回転することで、ラック部８３１を介して風路延長部８ｂを所定方向に移動させる。図３に示す移動機構８３では、ギア部８３２の設置位置が段差部６１ｂから離れるのに伴いラック部８３１を後方側に延長する必要があるが、図４に示すようなベルトコンベア８３３を用いることでラック部８３１を延長する必要がなくなる。
【００２７】
また、図５に示す移動機構８３は、風路延長部８ｂの底面から背面に沿って設けられたラック部８３１と、当該ラック部と噛み合うベルトコンベア８３３と、風路延長部８の移動を規制するガイド機構８３４とから構成されている。ガイド機構８３４は、風路延長部８の幅方向両端に設けられた不図示の軸と、当該軸と係合するガイド溝８３５とから構成されている。図３，４に示す移動機構８３では、段差部６１ｂおよび風路延長部８ｂの後端部８１ｂを斜面状とする必要があるが、図５に示すようなガイド機構８３４を用いることで段差部６１ｂおよび風路延長部８ｂの後端部８１ｂを斜面状とする必要がなくなる。また、図５においてベルトコンベア８３３をギア部８３２に変更してもよい。
【００２８】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００２９】
この発明に係る空気調和機は、風路壁の吹き出し口側に設けられた段差部と、吹き出し口に回転軸を有し、当該回転軸を中心に開方向に回動して端部が段差部と当接することで、風路壁と一体化して所定の曲率の曲面を構成する風路延長部とを設けたので、運転時に気流を遠くまで飛ばすのに十分な風路長を確保できるとともに、風路壁と風路延長部とのつなぎ目部分での圧力損失を抑制して高効率運転を実現でき、風路壁により空気を吹き出し口を介して外部へ誘導する空気調和機に用いるのに適している。
【符号の説明】
【００３０】
１  空気調和機、２  筐体、３  熱交換器、４  ファン、５  吹き出し口、６  風路壁、７  前フラップ、８，８ｂ  風路延長部、９  後フラップ、６１，６１ｂ  段差部、７１  回転軸、８１，８１ｂ  後端部、８２  回転軸、８３  移動機構、９１  回転軸、８３１  ラック部、８３２  ギア部、８３３  ベルトコンベア、８３４  ガイド機構、８３５  ガイド溝。
【図１】
0005931218.tif 000002
【図２】
0005931218.tif 000003
【図３】
0005931218.tif 000004
【図４】
0005931218.tif 000005
【図５】
0005931218.tif 000006
【図６】
0005931218.tif 000007